(57)【要約】【課題】通常のシャワーヘッドに直接取り付けて使用することができる携帯可能なシャワー取付用局部洗浄具を提供する。【課題を解決するための手段】  シャワーヘッドを挿入する開口部、該シャワーヘッドを包み込む柔軟な素材からなる装着部、および先端部に取り付けた洗浄液の噴出口を複数有するノズルからなるシャワー取付用局部洗浄具。該装着部とノズルとの間に交換可能なろ過ユニットを設けて、洗浄液をさらに清浄にすることができる。【選択図】図１
2005110747.tif 000002
【特許請求の範囲】
【請求項１】
シャワーヘッドを装入するための開口部、該シャワーヘッドを内部に装着することが可能な柔軟な素材からなる装着部、および先端部に取付けた複数の噴出口を有するノズルからなるシャワー取付用局部洗浄具。
【請求項２】
前記装着部とノズルとの中間に着脱可能なろ過ユニットを備えた請求項１に記載のシャワー取付用局部洗浄具。
【請求項３】
前記ろ過ユニットが、活性炭を充填した着脱可能なカートリッジからなる請求項２に記載のシャワー取付用局部洗浄具。
【請求項４】
シリコーンゴム製の開口部（２）および装着部（３）；ろ過ユニット（４）；および軟質ポリオレフィン樹脂製のノズル（１０）からなる請求項１から３のいずれかに記載のシャワー取付用局部洗浄具（１）。
【発明の詳細な説明】
【技術分野】
【０００１】
本発明は、シャワー等に装着して使用するための、簡便で携帯可能な局部洗浄具に関するものである。更に詳しくは、人や動物の口腔や外性器などの凹窩部分を洗浄し、清浄にするためにシャワーヘッドに取り付けて使用する局部洗浄具に関するものである。
【背景技術】
【０００２】
従来、局部洗浄具としては、温水便座に組み込んだユニットタイプのものや、浴室等に専用設備として設置するものの他、浴室のシャワーヘッドにアダプターを介して取り付ける後付けタイプのものなどがある。その内、後付けタイプのものは簡便であることから、既に多くのものが提案されている。
例えば、シャワー口と洗滌ノズルの両方を備えたシャワーヘッドを用い、このシャワーヘッド内の開閉弁により水流を切り替え、シャワーとビデとに使い分けるもの（例えば特許文献１）、あるいは専用シャワーヘッドにノズル状のビデを取り付けるもの（例えば特許文献２、非特許文献１）などが知られている。
しかしこれらは、いずれも特殊な形状の専用シャワーヘッドを使用する必要があるため、既存のシャワーヘッドを交換する必要がある。従って、家庭内で常時使用する場合には洗浄具を取り外して通常のシャワーヘッドに戻すことが不便であり、旅先などで臨時に使用することは不可能である。
【特許文献１】特公平１−４０６０８号公報
【特許文献２】特開平８−８４６７９号公報
【非特許文献１】登録実用新案公報第３０４１４９３号公報
【発明の開示】
【発明が解決しようとする課題】
【０００３】
本発明は、通常のシャワーヘッドに適宜に直接取り付けて使用することができる携帯可能なシャワー取付用局部洗浄具を提供するものである。
【課題を解決するための手段】
【０００４】
すなわち、本発明の局部洗浄具は、シャワーヘッドを挿入するための開口部、そのシャワーヘッドを内部に装着することが可能な柔軟な素材からなる袋状の装着部、および装着部の一側面に取り付けた複数の噴出口を有するノズルからなるシャワー取付用局部洗浄具である。また、好ましくは、前記装着部とノズルとの間に交換可能なろ過ユニットを設けることができる。
【０００５】
以下に、本発明のシャワー取付用局部洗浄具を図１および図２を参照し説明する。なお図１は本発明を説明するための１実施例であり、本発明の原理を具備する限り、当該実施例に限定されるものではない。
図１は本発明のシャワー取付用局部洗浄具１の縦断面図であり、洗浄具１は開口部２、装着部３およびノズル１０から構成される。また、必要に応じて更にろ過ユニット４を設けることもできる。
【０００６】
市販のシャワーヘッド５には種々の形状のものがあるが、通常、半球形または半楕円球形の放水部６と把手７からなる。放水部６の大きさは取り扱い上、手の拳程度のものが大半である。
本発明の洗浄具１をシャワーヘッド５へ装着するための装着部３は、種々の形状のシャワーヘッドに装着可能なように設計されている。すなわち、洗浄具１はシャワーヘッド５を挿入するための開口部２とシャワーヘッド５の放水部６を包み込む袋状の装着部３、およびシャワーヘッド５を押し込んだ後にその把手７へ洗浄具１を固定する固定部８を有する。また、固定部８の周囲には締付帯９を取り付け、洗浄具１の開口部２をシャワーヘッド５の把手７へ密着させて締め付ける。その場合、シャワーは水場で使用するものであり、また洗浄後の排水も流れ出るので水密状態に締め付ける必要はなく、把手７と開口部２との隙間から湯または水（以下「洗浄液」という）が噴出しない程度であればよい。なお、締付帯９は例えば、マジックテープ（登録商標）あるいはゴムバンドなどを使用することができる。
【０００７】
洗浄具１をシャワーヘッド５に装着する場合は、開口部２を弾力に抗して押し広げて、シャワーヘッドの放水部６を袋状の装着部３の中へ押し込み、締付帯９によって固定部８を把手７へ締め付ける。そのため、装着部３は手の拳程度の大きさとし、また開口部２はシャワーヘッド５を挿入できるように、弾性体で形成するかあるいは襞をつけることが必要である。
そのようにすることによって、本洗浄具１は各種のシャワーヘッドに装着することが可能である。
シャワーヘッド５を洗浄具１に装入した後、装着部３全体をシャワーヘッド５に固定し、洗浄液が開口部２の隙間から過度に漏れない程度に締め付ける。そのために開口部２をやや長めの袴状にするか、あるいは充分に伸縮する材料で形成し、締付帯９によって外周からシャワーヘッド５の把手７に締め付ける。
【０００８】
上記のような態様で使用できるようにするために、装着部３は柔軟性を有し変形が容易な材質で形成する必要がある。柔軟性を有する材質としては、例えば、オレフィン系ゴム、シリコーンゴム、スチレン系ゴム、ブタジエン系ゴム、イソプレン系ゴム、クロロプレン系ゴム等の各種ゴム、塩ビ系エラストマーなどを例示することができ、中でもシリコーンゴムなどが好ましい。なお、装着部３および開口部２の材料は、シャワーの水圧および約４５℃程度の湯温に耐えられるものであり、かつ上方の装着部３の側壁部分は厚めに成形して材料の剛性を大きくし、後述のノズル１０を保持できるようにする。
固定手段としての締付帯９は市販のマジックテープ（登録商標）あるいはゴムバンドなど適宜の材料を使用することができる。それらは固定部８に熱溶着、接着、あるいは縫着などの方法により取り付ける。
【０００９】
本発明の洗浄具１のノズル１０はノズル部１１および取付部１２からなる。取付部１２はノズル１０を装着部３の一側面にねじ付けする構造を有する。ノズル部１１は全体としてやや湾曲した管状であり、その縦軸方向外面に複数本の縦溝１３を有する。その溝に沿って複数の噴出口１４を形成し、また、ノズル部１１の先端にも噴出口１５を設ける。図２は図１のII−II線における端面を示す。体の局部洗浄に当たっては、ノズル部１１の先端を被洗浄部位に挿入し、シャワーから噴射した湯などの洗浄液を噴出口１４、１５から噴出させ、洗浄に供する。洗浄後の廃洗液は上記縦溝１３およびその周囲の隙間に沿って流れ、スムーズに外部に排出される。
ノズル部１１は、容易に向きを変えられること、および材質がソフトであることが必要である。従って、前記装着部３ほどの柔軟性は要求されないが、適度な柔軟性を有する材料、例えば、ポリエチレン樹脂、ＥＶＡ樹脂、ＥＥＡ樹脂等のオレフィン系樹脂あるいはオレフィン系ゴム、シリコーンゴム、スチレン系ゴム、ブタジエン系ゴム、イソプレン系ゴム、クロロプレン系ゴム等の各種ゴム、塩ビ系エラストマーなどを例示することができ、中でもポリエチレン樹脂が好ましい。
本実施例においては、上記ノズル部１１は装着部３にねじ付けされているが、両部材を嵌め合わせて結合し、あるいは両者を一体的に成形することも可能である。なお、ノズル部１１は使用体位に合わせて向きを比較的容易に変えられるようにノズル部の根元に蛇腹状の管を付加することも可能である。
【００１０】
本発明においては、装着部３とノズル１０との間にろ過ユニット４を設けることができる。そのために、ろ過ユニット４を内側に嵌め込むための収納スペースを設ける。なお、ろ過ユニット４の下流側には若干のスペースを設け、ユニット周辺部の水流がスムーズに流れるようにする。また、嵌め込んだろ過ユニット４を仮止めするために適宜のいぼ状の突起１６を設ける。また、本発明の洗浄具１の装着部３の下流側の周壁部はテーパー状になっており、それに合わせてろ過ユニット４を円錐台形に形成することにより、前記突起１６と互いに作用してろ過ユニット４を装着部３内に安定した状態に取り付けることができる。
ろ過ユニット４は内部に活性炭あるいはろ紙や繊維あるいはそれらの混合物を充填したカートリッジ式にすると、交換が容易になるので望ましい。このようなろ過ユニット４を取り付けることにより水道水などの洗浄液中の塩素等の刺激物質や塵埃、垢屑などを除去できるので、安全で体に優しく衛生的な洗浄を行うことができる。
【発明の効果】
【００１１】
本発明の局部洗浄具は、上記のように通常のシャワーヘッドに特別なアダプター用いることなく、容易に装着して使用することが可能である。また、構造が簡単であるため小型軽量で携帯が可能であり、しかも安価に製造し供給することができる。このような特徴を有するので、個人専用の洗浄具として使用でき、また、旅行時などの携帯利用にも好適である。さらに、交換容易なカートリッジ式のろ過ユニットを備えることにより洗浄液が浄化され、またそれを交換することにより常に衛生的な洗浄を行うことが可能である。
【発明を実施するための最良の形態】
【００１２】
図１に示すようなシリコーンゴム製の開口部２および装着部３、ろ過ユニット４および軟質ポリオレフィン樹脂製のノズル１０からなる局部洗浄具１を在来のシャワーヘッドに直接取り付けて、ビデとして快適に使用できる。
【実施例】
【００１３】
上記の洗浄具１をシャワーヘッド５に直接取り付けて、ビデとして使用したところ、快適に使用することができ、また、十分な実用性と耐久性が認められた。
【産業上の利用可能性】
【００１４】
本発明の局部洗浄具は、通常のシャワーヘッドに特別なアダプターを用いることなく装着することが可能であり、使用は簡便で携帯に便利である。
【図面の簡単な説明】
【００１５】
【図１】本発明の局部洗浄具の一実施例の縦断面図である。
【図２】ノズルの縦断端面図である。
【符号の説明】
【００１６】
１  局部洗浄具
２  開口部
３  装着部
４  ろ過ユニット
５  シャワーヘッド
６  放水部
７  把手
８  固定部
９  締付帯
１０  ノズル
１１  ノズル部
１２  取付部
１３  縦溝
１４、１５  噴出口
１６  突起
【図１】
2005110747.tif 000003
【図２】
2005110747.tif 000004